(57)【要約】【課題】さまざまなプロトコルに対応して回線の共通化を安価に実現する。【解決手段】このネットワーク通信システムは、クライアント側の通信システム１と、サーバ側の通信システム２とをＩＰ−ＮＷ３を介して接続して構成されている。クライアント側の通信システム１はゲートウェイ装置１２を有している。ゲートウェイ装置１２は、第１のネットワーク１４上のクライアント端末１１から送信されたＨＤＬＣフレームを受信し、受信したＨＤＬＣフレームをＵＤＰ／ＩＰパケットに変換し、変換したＵＤＰ／ＩＰパケットを第２のネットワークであるＩＰ−ＮＷ３へ送信する。【選択図】      図１
2004208042.tif 000002
【特許請求の範囲】
【請求項１】
第１のネットワークと第２のネットワークとを接続するゲートウェイ装置において、
前記第１のネットワーク上のコンピュータから送信されたＨＤＬＣフレームを受信する手段と、
受信されたＨＤＬＣフレームをＵＤＰ／ＩＰパケットに変換する手段と、
変換されたＵＤＰ／ＩＰパケットを前記第２のネットワークへ送信する手段とを具備したことを特徴とするゲートウェイ装置。
【請求項２】
第１のネットワークと第２のネットワークとを接続する第１のゲートウェイ装置と、前記第２のネットワークと第３のネットワークとを接続する第２のゲートウェイ装置とを有する通信システムにおいて、
前記第１のゲートウェイ装置は、
前記第１のネットワーク上の第１のコンピュータから前記第３のネットワーク上の第２のコンピュータへ送信されるＨＤＬＣフレームを受信する手段と、
受信されたＨＤＬＣフレームをＵＤＰ／ＩＰパケットに変換する手段と、
変換されたＵＤＰ／ＩＰパケットを前記第２のネットワークを通じて前記第３のネットワークへ送信する手段とを備え、
前記第２のゲートウェイ装置は、
前記第２のネットワークを通じて送られてきたＵＤＰ／ＩＰパケットを受信する手段と、
受信されたＵＤＰ／ＩＰパケットをＨＤＬＣフレームに変換する手段と、
変換されたＨＤＬＣフレームを前記第３のネットワークを通じて前記第２のコンピュータへ送信する手段と
を具備したことを特徴とする通信システム。
【発明の詳細な説明】
【０００１】
【発明の属する技術分野】
本発明は、例えばクライアントコンピュータ(以下クライアントマシンと称す)とサーバコンピュータ(以下サーバマシンと称す)とが異種ネットワークを介して接続されたクライアント／サーバシステムなどのネットワーク通信システムに用いられるゲートウェイ装置、通信システムに関する。
【０００２】
【従来の技術】
一般に、コンピュータ間通信におけるデータ伝送方式は、同期伝送方式と非同期伝送方式（調歩同期方式）に大別され、同期伝送方式は、伝送対象のデータを適当な長さに区切り伝送するためのブロックの区切り方で、フラグ同期方式（フレーム同期方式）とキャラクタ同期方式とに細分される。フラグ同期方式（フレーム同期方式）のプロトコルとしては、例えばＸ．２５などがある。
【０００３】
コンピュータ間通信を行うための通信システムの一つとして、クライアントマシンに第１のネットワークを介してゲートウェイ装置（クライアント側ゲートウェイ装置）が接続され、このクライアント側ゲートウェイ装置に例えばＩＰネットワークなどの第２のネットワークを介してゲートウェイ装置（サーバ側ゲートウェイ装置）が接続され、このサーバ側ゲートウェイ装置に第３のネットワークを介してサーバマシンが接続された形態のものがある。
このような通信システムにおいては、第１および第３のネットワークの通信プロトコルと第２のネットワークの通信プロトコルが異なる場合、それぞれのネットワーク間に介在するゲートウェイ装置でプロトコル変換が行われる。
【０００４】
この種の従来の技術としては、通信端末（パソコン）側の電話網（第１のネットワーク）パケット通信端末側のパケット網（第３のネットワーク）に、例えばＸ．２５プロトコルなどのフラグ同期方式のプロトコル（有手順系プロトコル）を用い、互いの間に異種網間通信装置（ゲートウェイ）を配置してデータを変換して伝送する技術がある(例えば特許文献１参照)。
特許文献１に記載されている従来の技術の場合、第３のネットワークにＯＳＩの物理層からネットワーク層までの下位３層のプロトコルが規定されているＸ．２５を用いていることから、複数の端末間で、ある端末を指定したデータのやり取り行うことが可能である。
【０００５】
Ｘ．２５プロトコルは、物理層からネットワーク層までの下位３層のプロトコルが規定されている。これと同層のプロトコルとして、例えばＳＮＡ、ＦＮＡ、ＩＰなどのプロトコルがあるが、これらの場合もＸ．２５プロトコルと同じ回線を利用できる。つまり、複数のコンピュータ間のネットワーク通信で送信側と受信側で同じプロトコルを用いることで、データ通信が可能になる。
【０００６】
【特許文献１】
特開２００１‐１３６２０２号公報
【０００７】
【発明が解決しようとする課題】
特許文献１に記載されている技術をＩＰネットワークを介するコンピュータネットワーク間通信に利用する場合、以下のような問題がある。
すなわち、上記フラグ同期方式のプロトコルを用いるネットワーク通信では、上位プロトコルが不明な場合は、コンピュータからのデータをゲートウェイ装置でＩＰネットワークのプロトコル、つまりＩＰプロトコルの形態へ変換することができない。したがって、ＩＰネットワークに接続される送信側と受信側それぞれのコンピュータのネットワークでは同じ階層のプロトコルを用いる必要がある。
しかし、同じ階層のプロトコルといっても上記したようにさまざまなプロトコルがあるため、送信側と受信側それぞれのコンピュータのネットワークで異なるプロトコルを利用する場合、回線をぞれぞれ別系統で持つことになり、回線の共通化ができないという問題があった。
また、ＯＳＩの第３層までを規定するＸ．２５プロトコルは、高い利便性を提供するシステムを実現できるため、Ｘ．２５プロトコル‐ＩＰプロトコルの変換機能を持つゲートウェイ装置を製品化することが考えられるが、この場合、ゲートウェイ装置の開発コストがかさみ、ゲートウェイ装置を安価に提供できないという問題もある。
【０００８】
本発明はこのような課題を解決するためになされたもので、さまざまなプロトコルに対応して回線の共通化を安価に実現することのできるゲートウェイ装置、通信システムを提供することを目的としている。
【０００９】
【課題を解決するための手段】
上記した目的を達成するために、本発明のゲートウェイ装置は、第１のネットワークと第２のネットワークとを接続するゲートウェイ装置において、前記第１のネットワーク上のコンピュータから送信されたＨＤＬＣフレームを受信する手段と、受信されたＨＤＬＣフレームをＵＤＰ／ＩＰパケットに変換する手段と、変換されたＵＤＰ／ＩＰパケットを前記第２のネットワークへ送信する手段とを具備したことを特徴としている。
【００１０】
本発明の通信システムは、第１のネットワークと第２のネットワークとを接続する第１のゲートウェイ装置と、前記第２のネットワークと第３のネットワークとを接続する第２のゲートウェイ装置とを有する通信システムにおいて、前記第１のゲートウェイ装置は、前記第１のネットワーク上の第１のコンピュータから前記第３のネットワーク上の第２のコンピュータへ送信されるＨＤＬＣフレームを受信する手段と、受信されたＨＤＬＣフレームをＵＤＰ／ＩＰパケットに変換する手段と、変換されたＵＤＰ／ＩＰパケットを前記第２のネットワークを通じて前記第３のネットワークへ送信する手段とを備え、前記第２のゲートウェイ装置は、前記第２のネットワークを通じて送られてきたＵＤＰ／ＩＰパケットを受信する手段と、受信されたＵＤＰ／ＩＰパケットをＨＤＬＣフレームに変換する手段と、変換されたＨＤＬＣフレームを前記第３のネットワークを通じて前記第２のコンピュータへ送信する手段とを具備したことを特徴としている。
本発明では、第１のネットワーク上のコンピュータから送信されたＨＤＬＣフレームをゲートウェイ装置が受信すると、ゲートウェイ装置は、受信されたＨＤＬＣフレームをＵＤＰ／ＩＰパケットに変換して第２のネットワークへ送信するので、ＨＤＬＣ手順よりも下位の階層（ＯＳＩの第３層）のプロトコルを透過することができ、さまざまなプロトコルでの通信を安価に可能とすることができる。
【００１１】
【発明の実施の形態】
以下、本発明の実施の形態を図面を参照して詳細に説明する。
図１は本発明に係る一つの実施形態のネットワーク通信システムの構成を示す図である。
【００１２】
同図に示すように、このネットワーク通信システムは、クライアント側の通信システム１と、サーバ側の通信システム２とを、ＩＰネットワーク、例えばＵＤＰ／ＩＰネットワーク３（以下ＩＰ−ＮＷ３と称す）を介して接続して構成されている。ＩＰ−ＮＷ３を第２のネットワークと称す。
【００１３】
クライアント側の通信システムは、第１のコンピュータであるクライアントコンピュータ（以下クライアント端末１１と称す）と、第１のゲートウェイ装置としてのゲートウェイ装置１２と、ルータ１３とを有している。クライアント端末１１とゲートウェイ装置１２とは第１のネットワーク１４により接続されている。
クライアント端末１１は、例えばＯＳＩ（開放型システム間相互接続）基本参照モデルの７階層の中の第２層にあたるデータリンク層のプロトコルであるハイレベルデータリンク制御手順（ＨＤＬＣ手順）でゲートウェイ装置１２との間の第１のネットワーク１４を通じたＨＤＬＣフレームの送受信によりデータ通信を行うコンピュータである。
【００１４】
ゲートウェイ装置１２は、クライアント端末１１より送信されてきたＨＤＬＣフレームをＵＤＰ／ＩＰパケットに変換するプロトコル変換手段であり、端末側手順をＩＰネットワークに透過する機能を有している。ゲートウェイ装置１２は、例えばコンピュータなどにより実現される。ゲートウェイ装置１２，２２は、ＣＰＵ、ＲＯＭ，ＲＡＭなどのメモリ、通信インターフェース装置、ハードディスク装置などを備えられている。ハードディスク装置には、端末側手順をＩＰネットワークに透過する機能を実現するための制御プログラムが記憶されている。ゲートウェイ装置１２の制御プログラムは、第１のネットワーク１４上のクライアント端末１１から送信されたＨＤＬＣフレームを通信インターフェース装置を通じて受信する手段と、受信されたＨＤＬＣフレームをＵＤＰ／ＩＰパケットに変換する手段と、変換されたＵＤＰ／ＩＰパケットを通信インターフェース装置よりＩＰ−ＮＷ３へ送信する手段として機能する。ＵＤＰとはユーザ・データグラム・プロトコルをいう。ＵＤＰは、コネクションレス型（連続したデータ交換が要求されないアプリケーション間通信）のデータ転送プロトコルである。
ゲートウェイ装置１２は、サーバ２１よりＩＰ−ＮＷ３、ルータ１３を通じて受信されたＵＤＰ／ＩＰパケットをＨＤＬＣフレームに変換して第１のネットワーク１４を通じてクライアント端末１１に渡すプロトコル変換および通信手段である。ゲートウェイ装置１２は、接続先のサーバ側の通信システム２のゲートウェイ装置２２のＩＰアドレスとＵＤＰポート番号（相手および自分）を指定して回線ポート単位に透過データを通すための通信リンクを確立する。ルータ１３は、受信されたＵＤＰ／ＩＰパケットを該当するあて先に届けるためのルーティングを行う。
【００１５】
サーバ側の通信システム２は、第２のコンピュータであるサーバコンピュータ２１（以下サーバ２１称す）と、第２のゲートウェイ装置としてのゲートウェイ装置２２と、ルータ２３とを有している。サーバ２１とゲートウェイ装置２２とは第３のネットワーク２４により接続されている。ルータ２３は、クライアント側の通信システム１よりＩＰ−ＮＷ３を通じて受信されたＵＤＰ／ＩＰパケットを該当するあて先に届けるためのルーティングを行う。
【００１６】
ゲートウェイ装置２２は、ルータ２３から受け取ったＵＤＰ／ＩＰパケットをＨＤＬＣプロトコルのデータ（ＨＤＬＣフレーム）に変換して第３のネットワーク２４を通じてサーバ２１に伝送するプロトコル変換および通信手段である。ゲートウェイ装置２２の制御プログラムは、サーバ２１から送信されたＨＤＬＣプロトコルのデータ（ＨＤＬＣフレーム）を第３のネットワーク２４を通じて受信する手段と、受信したＵＤＰ／ＩＰパケットに変換する手段と、変換したＵＤＰ／ＩＰパケットをルータ２３およびＩＰ−ＮＷ３を通じてクライアント側の通信システム１に送信する手段として機能する。サーバ２１は、例えばＨＤＬＣプロトコルなどでゲートウェイ装置２２とデータ通信を行うコンピュータである。
【００１７】
以下、このネットワーク通信システムの動作を説明する。
ＨＤＬＣフレームについて説明する。
ＨＤＬＣフレームは、Ｆ，Ａ，Ｃ，Ｉ，ＦＣＳ，Ｆなどのフレームを有している。Ｆフレームには、例えば０１１１１１１０などのデータの開始／終了を示すめフラグが挿入される。Ａフレームは８ビットのアドレスデータが挿入される。Ｉフレームには情報（データ）がｎビットで挿入される。なお、このＩフレームにはデータが挿入されない場合もある。ＦＣＳフレームには、１６ビットのフレームチェックシーケンスデータが挿入される。
【００１８】
この実施形態のネットワーク通信システムでは、ＨＤＬＣプロトコルのデータとＵＤＰ／ＩＰパケットとの相互変換を行う上で、ＦＣＳをデータとして扱う第１の変換ケースとＦＣＳをデータとして扱う第２の変換ケースの２通りの変換ケースがあるので、それぞれについて説明する。
【００１９】
まず、図２のフローチャートを参照してＦＣＳをデータとして扱う第１の変換ケースについて説明する。
この第１の変換ケースの場合、クライアント端末１１からゲートウェイ装置１２に送信されるＨＤＬＣフレームにＩフレームが存在する場合（Ｉフレームありの場合）、クライアント端末１１から送信されたＨＤＬＣフレームがゲートウェイ装置１２に受信されると、ゲートウェイ装置１２は、受信したＨＤＬＣフレームのＡフレーム，Ｃフレーム，Ｉフレーム，ＦＣＳフレームを一塊にカプセリングしてＩＰデータとし、そのＩＰデータにＩＰヘッダとＣＲＣを付加してＩＰパケットを生成する。つまり、ゲートウェイ装置１２は、受信したＨＤＬＣフレームをＵＤＰ／ＩＰパケットに変換する。
【００２０】
そして、ゲートウェイ装置１２は、生成したＵＤＰ／ＩＰパケットをルータ１３、ＩＰ−ＮＷ３を通じてサーバ側のネットワーク２へ送り、サーバ側のネットワーク２では、ＵＤＰ／ＩＰパケットがルータ２３を通じてゲートウェイ装置２２に受信される。
なお、クライアント端末１１から受信されたＨＤＬＣフレームにＩフレームが存在すしない場合（Ｉフレームなしの場合）、ゲートウェイ装置１２は、受信したＨＤＬＣフレームのＡフレーム，Ｃフレーム，ＦＣＳフレームを一塊にカプセリングしてＩＰデータとし、そのＩＰデータにＩＰヘッダとＣＲＣを付加してＩＰパケットを生成する。以下の動作はＩフレームありの場合と同様である。
【００２１】
ゲートウェイ装置２２は、受信したＵＤＰ／ＩＰパケットのＩＰデータをデカプセリングして、Ａフレーム，Ｃフレーム，Ｉフレーム，ＦＣＳフレームとして、これらのフレームにＦフレームを新たに付加してＨＤＬＣフレームを生成する。つまり、ゲートウェイ装置２２は、受信したＵＤＰ／ＩＰパケットをＨＤＬＣフレームに変換する。
【００２２】
そして、ゲートウェイ装置２２は、生成したＨＤＬＣフレームをサーバ２１へ送信する。なお、Ｉフレームなしの場合、ゲートウェイ装置２２は、デカプセリングによりＡフレーム，Ｃフレーム，ＦＣＳフレームとして、これらのフレームにＦフレームを新たに付加してＨＤＬＣフレームを生成する。以下の動作はＩフレームありの場合と同様である。
【００２３】
なお、第１の変換ケースの場合、ゲートウェイ装置１２は、ＨＤＬＣフレームを受信したときにＦＣＳチェックを行わない。また、ゲートウェイ装置１２は、受信したＨＤＬＣフレームにＦＣＳエラーがあったとしても相手先に送信する。したがって、通信相手先のフラグ同期方式の端末、この場合、サーバ側で、ＦＣＳエラーのＦＣＳを検出して廃棄することになる。ＦＣＳフレームはデータとしてＩＰパケットに挿入されてくるので、サーバ側のネットワーク２のゲートウェイ装置２２では、ＦＣＳの生成を行わない。Ａフレーム，Ｃフレーム，Ｉフレーム，ＦＣＳフレームの部分を合計した最大フレームサイズは、１４００オクテッドとし、それを超えるフレームついてはデータ送信元のゲートウェイ装置１２でフレーム分割して相手先に送信する。
【００２４】
次に、図３のフローチャートを参照してＦＣＳをデータとして扱わない第２の変換ケースについて説明する。
この第２の変換ケースの場合、クライアント端末１１からゲートウェイ装置１２に送信されるＨＤＬＣフレームにＩフレームが存在する場合（Ｉフレームありの場合）、クライアント端末１１から送信されたＨＤＬＣフレームがゲートウェイ装置１２に受信されると、ゲートウェイ装置１２は、受信したＨＤＬＣフレームのうち、Ｆフレーム、ＦＣＳフレームを除いたＡフレーム，Ｃフレーム，Ｉフレームを一塊にカプセリングしてＵＤＰ／ＩＰデータとし、そのＵＤＰ／ＩＰデータにＩＰヘッダとＣＲＣを付加してＵＤＰ／ＩＰパケットを生成する。つまり、ゲートウェイ装置１２は、受信したＨＤＬＣフレームをＵＤＰ／ＩＰパケットに変換する。
【００２５】
そして、ゲートウェイ装置１２は、生成したＵＤＰ／ＩＰパケットをルータ１３、ＩＰ−ＮＷ３を通じてサーバ側のネットワーク２へ送り、サーバ側のネットワーク２では、ＵＤＰ／ＩＰパケットがルータ２３を通じてゲートウェイ装置２２に受信される。
なお、クライアント端末１１からゲートウェイ装置１２に受信されたＨＤＬＣフレームにＩフレームが存在しない場合（Ｉフレームなしの場合）、ゲートウェイ装置１２は、受信したＨＤＬＣフレームのうち、Ｆフレーム、ＦＣＳフレームを除いたＡフレーム，Ｃフレームを一塊にカプセリングしてＵＤＰ／ＩＰデータとし、そのＵＤＰ／ＩＰデータにＩＰヘッダとＣＲＣを付加してＵＤＰ／ＩＰパケットを生成する。以下の動作はＩフレームありの場合と同様である。
【００２６】
ゲートウェイ装置２２は、受信したＵＤＰ／ＩＰパケットのＩＰデータをデカプセリングして、Ａフレーム，Ｃフレーム，Ｉフレームとして、これらのフレームにＦフレームとＦＣＳフレームを新たに付加してＨＤＬＣフレームを生成する。つまり、ゲートウェイ装置２２は、受信したＵＤＰ／ＩＰパケットをＨＤＬＣフレームに変換する。
【００２７】
そして、ゲートウェイ装置２２は、生成したＨＤＬＣフレームをサーバ２１へ送信する。なお、Ｉフレームなしの場合、ゲートウェイ装置２２は、デカプセリングによりＡフレーム，Ｃフレームとして、これらのフレームにＦフレームとＦＣＳフレームを新たに付加してＨＤＬＣフレームを生成する。以下の動作はＩフレームありの場合と同様である。
【００２８】
なお、第２の変換ケースの場合、ゲートウェイ装置１２は、ＨＤＬＣフレームを受信したときにＦＣＳチェックを行う。また、ゲートウェイ装置１２は、受信したＨＤＬＣフレームにＦＣＳエラーがあった場合、その時点で該当フレームを破棄する。したがって、通信相手先のフラグ同期方式の端末、この場合、サーバ側は、フレームが来ないため、リトライを発動しリトライ動作を行う。ＦＣＳフレームはデータとしてＩＰパケットに挿入されていないため、サーバ側のネットワーク２のゲートウェイ装置２２では、新たなＦＣＳフレームの生成を行う。Ａフレーム，Ｃフレーム，Ｉフレームの部分を合計した最大フレームサイズは、１４００オクテッドとし、それを超えるフレームついてはゲートウェイ装置１２でフレーム分割して相手先に送信する。
【００２９】
このようにこの実施形態のネットワーク通信システムによれば、ゲートウェイ装置１２は、受信されたＨＤＬＣフレームをＵＤＰ／ＩＰパケットに変換してＩＰ−ＮＷ３に送信することで、ＯＳＩの第２層（データリンク層）でのみ通信を行う、つまりＯＳＩの第３層以上のプロトコルを透過させることで、フラグ同期方式のプロトコルで通信を行う端末間において、例えばＸ．２５、ＳＮＡ、ＦＮＡ、ＩＰなどのさまざまなプロトコルでのＵＤＰ／ＩＰネットワークを通じたデータ通信が可能になり、経済的で、拡張性に富み、安全にネットワーク通信システムを構築することができる。具体的には、回線の共用化ができるようになり、回線料金を削減できるという経済的効果を達成できる。また、利用頻度の高いＩＰネットワークを基本にしていることから、さまざまなネットワークに対応可能となり、また、フレームレベルでの透過を行うことからさまざまなプロトコルに対応可能となり、拡張性に富んだシステムを構築できる。さらに、障害管理においても、従来は、プロトコルごとに別個のネットワークを構築する必要があったためそれぞれの管理を必要としたが、回線の共用化を実現することで、一元管理が可能になり、障害対応に迅速に対応できるようになる。
【００３０】
なお、本発明は上記実施形態のみに限定されるものではない。
上記実施形態では、ＨＤＬＣフレームをＵＤＰ／ＩＰパケットに変換したが、これ以外に、例えばＨＤＬＣフレームをＴＣＰ／ＩＰパケットに変換してもよい。上記実施形態におけるソフトウェア（ゲートウェイ装置１２，２２の制御プログラム）は、フレキシブルディスクなどのコンピュータが読み出し可能な記憶媒体に記憶されていても良く、また、ソフトウェア（プログラム）単体としてネットワーク上を伝送されるものでもよい。この場合、記憶媒体に記憶されたソフトウェア（プログラム）をコンピュータが読み出したり、ＬＡＮやインターネッ上のサイト（サーバ）からコンピュータがダウンロードしてハードディスクにインストールすることにより、各実施形態における処理が可能になる。
【００３１】
つまり、本発明におけるソフトウェア（制御プログラム）は、コンピュータと独立した記憶媒体に記憶されているものだけに限らず、ＬＡＮやインターネットなどの伝送媒体を介して流通されるものも含まれる。
なお、制御プログラムは、ハードディスク、メモリ、フレキシブルディスクなどの記憶媒体からコンピュータが読み出して利用するものであり、その言語形式、記憶形式などに限定されるものではない。
【００３２】
また、記憶媒体からコンピュータにインストールされた制御プログラムの指示に基づき、コンピュータ上で稼動しているＯＳ（オペレーティングシステム）や、データベース管理ソフト、ネットワークソフトなどのＭＷ（ミドルウェア）などが本実施形態を実現するための各処理の一部を実行しても良い。
さらに、記憶媒体は、コンピュータと独立した媒体に限らず、ＬＡＮやインターネットなどにより伝送されたプログラムをダウンロードして記憶または一時記憶した記憶媒体も含まれる。また、記憶媒体は一つに限らず、複数の媒体から本実施形態における処理が実行される場合も本発明における記録媒体に含まれ、媒体構成はいずれの構成であっても良い。
【００３３】
なお、コンピュータは、記憶媒体に記憶されたプログラムに基づき、本実施形態における各処理を実行するものであって、パソコンなどの一つからなる装置、複数の装置がネットワーク接続されたシステムなどのいずれの構成であっても良い。
また、コンピュータとは、パーソナルコンピュータ（パソコン）に限らず、通信機器、情報処理機器に含まれる演算処理装置、マイコンなども含み、プログラムによって本発明の機能を実現することが可能な機器、装置を総称している。
【００３４】
【発明の効果】
以上説明したように本発明によれば、さまざまなプロトコルに対応して回線の共通化を安価に実現することができる。
【図面の簡単な説明】
【図１】本発明の一つの実施形態のネットワーク通信システムの構成を示す図である。
【図２】このネットワーク通信システムにおいて、第１の変換ケースの動作を示す図である。
【図３】このネットワーク通信システムにおいて、第２の変換ケースの動作を示す図である。
【符号の説明】
１…クライアント側のネットワーク、２…サーバ側のネットワーク、３…ＩＰ−NW、１１…クライアント端末、１２，２２…ゲートウェイ装置、１３，２３…ルータ，２１…サーバ。
【図１】
2004208042.tif 000003
【図２】
2004208042.tif 000004
【図３】
2004208042.tif 000005